(57)【要約】【課題】  利用者が特定されることなく安全に利用することができ、しかも操作が極めて容易なデータ加工システムを提供する。【解決手段】  加工対象となる原データを記号化処理するデータ発行手段２と、記号化処理された原データ８を復元し、この復元された原データに基づいて所要の加工を行うデータ加工手段６と、このデータ加工手段とインターネット回線５を介して接続される通信端末４とよりなり、前記データ発行手段は、データ加工手段の真のインターネットアドレスに、前記記号化処理された原データを下位部分に付した仮想アドレスデータを生成し、この仮想アドレスデータに基づいて前記通信端末がデータ加工手段に接続すると、データ加工手段においては仮想アドレスデータから真のアドレスデータ部分を削除して復元された原データに基づいて所要の加工を行い、前記通信端末に送るように構成した。【選択図】  図１
2007179499.tif 000002
【特許請求の範囲】
【請求項１】
加工対象となる原データを記号化処理するデータ発行手段と、記号化処理された原データを復元し、この復元された原データに基づいて所要の加工を行うデータ加工手段と、このデータ加工手段とインターネット回線を介して接続される通信端末とよりなるデータ加工システムであって、前記データ発行手段は、データ加工手段の真のインターネットアドレスに、前記記号化処理された原データを下位部分に付した仮想アドレスデータを生成し、この仮想アドレスデータに基づいて前記通信端末がデータ加工手段に接続すると、データ加工手段においては仮想アドレスデータから真のアドレスデータ部分を削除して復元された原データに基づいて所要の加工を行い、前記通信端末に送るように構成してなるデータ加工システム。
【請求項２】
前記データ加工手段は、前記仮想アドレスデータを２次元コードや磁気コード等のコードデータにより前記通信端末に供給することを特徴とする請求項１に記載のデータ加工システム。
【請求項３】
前記原データは個人情報を除く薬の処方箋データであり、使用者が通信端末に前記仮想アドレスデータを読み込んで前記データ加工手段に接続することにより、このデータ加工手段から前記処方箋データに基づく薬事情報に関する表等の薬に関する加工データを得ることができるように構成してなる請求項１または２に記載のデータ加工システム。
【請求項４】
前記処方箋データは、予めデータ発行手段とデータ加工手段とに蓄積した薬剤コードと用法コードよりなる請求項３に記載のデータ加工システム。
【発明の詳細な説明】
【技術分野】
【０００１】
本発明は、処方箋データ等の任意のデータを、インターネットを介して接続されたデータ加工手段に加工させ、加工後のデータを受け取ることができるようにしたデータ加工システムに関する。
【背景技術】
【０００２】
利用者が携帯電話やパーソナルコンピュータ等の通信端末を利用し、インターネットを介して接続したサーバにデータを送り、このサーバ側のシステムにおいて送ったデータを加工させ、加工後のデータを受け取ることができるようにしたシステムは従来から各種ある（例えば、特許文献１乃至３参照）。
【０００３】
上述した従来のシステムでは、加工したいデータ（原データ）を電子メールに添付して送り、サーバは電子メールに添付された原データを取り出して所要のシステムに原データを送って加工する構成になっている。
【０００４】
【特許文献１】特開２００５−３１６８２２号公報（第１〜８頁、図１）
【特許文献２】特開２００３−１５０８５３号公報（第１〜３頁、図１〜３）
【特許文献３】特開２００５−１７５６７６号公報（第１〜１６頁、図１〜１２）
【発明の開示】
【発明が解決しようとする課題】
【０００５】
従来のシステムでは、携帯電話やパーソナルコンピュータの操作に慣れていて、しかも少なくとも電子メールに原データを添付する操作ができなければ、利用することができないという問題点がある。
【０００６】
また、電子メールを利用するので、少なくとも電子メールアドレスという個人情報がサーバ側に送られ、近年の個人データ取り扱いの厳格化の観点から、利用者側もサーバ管理者側も個人情報取り扱いの問題が生じる。
【０００７】
特に、加工しようとするデータが利用者の処方箋データの場合には、データ加工のニーズが高いと考えられる高齢者にとって電子メールの利用という障害があり、しかも処方箋データは高度な個人情報に属するので、電子メールアドレス等の情報によって利用者が特定できる状態はあまり望ましくない。
【０００８】
そこで本発明は、利用者が特定されることなく安全に利用することができ、しかも操作が極めて容易なデータ加工システムを提供することを目的としている。
【課題を解決するための手段】
【０００９】
上記課題を解決するために、本発明に係るデータ加工システムは、加工対象となる原データを記号化処理するデータ発行手段と、記号化処理された原データを復元し、この復元された原データに基づいて所要の加工を行うデータ加工手段と、このデータ加工手段とインターネット回線を介して接続される通信端末とよりなるデータ加工システムであって、前記データ発行手段は、データ加工手段の真のインターネットアドレスに、前記記号化処理された原データを下位部分に付した仮想アドレスデータを生成し、この仮想アドレスデータに基づいて前記通信端末がデータ加工手段に接続すると、データ加工手段においては仮想アドレスデータから真のアドレスデータ部分を削除して復元された原データに基づいて所要の加工を行い、前記通信端末に送るようにした構成としてある。
また前記データ加工手段は、前記仮想アドレスデータを２次元コードや磁気コード等のコードデータにより前記通信端末に供給することを特徴としている。
【００１０】
さらに、前記原データは個人情報を除く薬の処方箋データであり、使用者が通信端末に前記仮想アドレスデータを読み込んで前記データ加工手段に接続することにより、このデータ加工手段から前記処方箋データに基づく薬事情報に関する表等の薬に関する加工データを得ることができるようにした構成してある。
【００１１】
また前記処方箋データは、予めデータ発行手段とデータ加工手段とに蓄積した薬剤コードと用法コードよりなる構成としてある。
【発明の効果】
【００１２】
本発明によれば、データ発行手段においてデータ加工手段のインターネットアドレスデータと原データとよりなる仮想アドレスデータを生成するので、利用者が通信端末に仮想アドレスデータを入力し、同仮想アドレスデータに基づいてデータ加工手段に容易かつ正確に接続することができ、しかもデータ加工手段の真のアドレスデータ以外の部分を原データとして受け取ってデータの加工を行うことができる。
【００１３】
したがって、電子メールの操作に不慣れな利用者であっても簡単にデータ加工手段に接続して原データを送ることができ、しかも加工済みのデータはそのまま通信端末によって受け取ることができる。
【００１４】
また、電子メールを利用することなくデータの授受が可能であるので、電子メールアドレス等の利用者個人を特定するデータをデータ加工手段側へ送る必要がなく、利用者としてはプライバシーを安全に守ることができ、データ加工手段の管理者は個人データを保護するための方策を採る必要がないという利点もある。
【実施例】
【００１５】
以下、本発明に係るシステムの実施例を添付図面に示す具体例に基づいて説明する。
図１において、１は原データたる処方データが記載された処方箋、２はデータ発行手段、３はデータ発行手段により生成された仮想アドレスデータをコード化してなる２次元コード、４は携帯電話等の通信端末、５はインターネット、６はデータ加工手段をそれぞれ示している。
【００１６】
前記処方データは、処方箋１に記載された薬剤名、用法（用量）等のデータで構成され、原則として被処方者たる患者の個人情報は含まない。
この処方データは前記データ発行手段２において英数字、符号等よりなるコードに記号化処理され、このコードは前記データ加工手段のインターネットアドレス（真のインターネットアドレス）に付されて仮想インターネットアドレスが生成される。
【００１７】
上記仮想インターネットアドレスは、図２に示されるようにスキーム７ａとサーバ名７ｂよりなる真のインターネットアドレス部分７と、記号化された原データのコード部分８で構成され、このコード部分は処方データで構成され、具体的には処方された薬の薬剤コード９ａと用法コード９ｂとで構成された個別の薬データ９を、処方された薬の種類の数の分並べて構成してある。
【００１８】
なお、前記薬剤コード９ａや用法コード９ｂには完全に統一されたものは現時点では存在しないため、データ発行手段２とデータ加工手段６との間で予め統一したコードを設定しておく必要があり、例えば薬剤コードには１２桁の英数字よりなる薬価基準収載医薬品コード等の比較的汎用性の高いコードをそのまま利用することもでき、また用法コードについては３桁程度の数字よりなるコードを設定しておけば、充分実用に足るものとすることができる。
【００１９】
もちろん、電子カルテシステム等の電子医療情報を処理するシステムを保有している施設であれば、この処理システムにて利用されているコードをそのまま流用できる。
【００２０】
そして、上述した仮想インターネットアドレスはデータ発行手段２において２次元コード３として例えば薬袋１０に印刷される。
【００２１】
このような構成のデータ発行手段２は、例えば調剤薬局等の医療機関窓口で薬事情報の出力やレセプト処理を行うために設けられたコンピュータシステムや、前述のような電子カルテシステムを利用することができる。
【００２２】
上述した２次元コード２の生成は、ＵＲＬ(Uniform Resource Locator)を２次元コード化する既存の手段を容易に流用することができ、生成した２次元コードは専用のリーダ１１を介して携帯電話等の通信端末４に入力され、通信端末での簡単な接続操作をするだけで煩瑣なＵＲＬの入力を行うことなくデータ加工手段６に接続され、原データのコード部分８がデータ加工手段に受信される。
【００２３】
すなわち、通常はインターネット上の特定のサーバ内の特定のファイルを指定するためのＵＲＬのパス指定およびファイル指定部分をデータ部分として利用することにより、現在普及している２次元コードを利用したＵＲＬ入力の方式をそのまま使うことができるように構成してある。
【００２４】
なお、上述した２次元コード２は前記専用のリーダ１１を利用せず、携帯電話４に備えられているカメラを利用して携帯電話に取り込むこともでき、現時点で市場に提供されている携帯電話の殆どはこのような使用が可能であり、強いて前記リーダを使用しなくてもよい。
【００２５】
また、上記２次元コード２に代えて、ＩＣカードやＲＦＩＤ(Radio Frequency Identification System)を利用し、そのデータを携帯電話等の通信端末４に取り込むように構成する場合もある。
【００２６】
上記データ加工手段６は、ウェブサーバ１２、様式記憶手段１３、データベース１４を備え、ウェブサーバ１２は通信端末４からのデータを受信して前記仮想インターネットアドレス中の原データ（処方データ）のコード部分を取り出し、このコード部分に基づいて適宜の囲うフォーマットを様式記憶手段１３から選び、また所要の薬剤に関する情報をデータベース１４から取り出して加工する。
【００２７】
具体的には、例えば図３に示されるように、得られた処方データから朝昼夕の各時間帯１５、１５毎にどの薬を服用すればよいかがひとめで分かるようにした表１６、１６を備える一覧１７例えばＨＴＭＬ(Hyper Text Markup Language)形式で生成し、データとして前記通信端末４に送り返し、利用者は通信端末で上記一覧を見ることができるようになっている。
【００２８】
上述した実施例では処方箋の情報に関するデータ加工に応用する具体例を示したが、処方箋の情報以外にも各種のデータ加工を同様の構成で行うことができる。
【図面の簡単な説明】
【００２９】
【図１】本発明に係るシステムの概略構成図。
【図２】データ発行手段で生成される仮想インターネットアドレスの構成の一例を示す図。
【図３】本発明に係るシステムで加工されたデータの一例を示す図。
【符号の説明】
【００３０】
１  処方箋
２  データ発行手段
３  ２次元コード
４  通信端末
５  インターネット
６  データ加工手段
７  真のインターネットアドレス部分
８  原データのコード部分
９  個別の薬データ
１０  薬袋
１１  リーダ
１２  ウェブサーバ
１３  様式記憶手段
１４  データベース
１５  服用時間帯
１６  表
１７  一覧
【図１】
2007179499.tif 000003
【図２】
2007179499.tif 000004
【図３】
2007179499.tif 000005